(57)【特許請求の範囲】
【請求項１】
環状のトリガ電極と、
カソード電極と、
前記カソード電極に接続される一端部と、前記一端部と反対側の他端部とを有し、前記一端部と前記他端部のうち少なくとも前記他端部の周縁が面取りされた円柱状の蒸着材料と、
前記トリガ電極と前記蒸着材料の間、及び前記トリガ電極と前記カソード電極の間に配置された絶縁部材と、
前記トリガ電極の周囲に配置された筒状のアノード電極と
を具備する同軸型真空アーク蒸着源。
【請求項２】
請求項１に記載の同軸型真空アーク蒸着源であって、
前記絶縁部材は、前記トリガ電極の内周面と対向する円筒状部と、前記トリガ電極と前記カソード電極の間に位置するフランジ部とを有し、
前記蒸着材料の他端部は、前記絶縁部材の前記円筒状部の先端と同一の高さ位置にある
同軸型真空アーク蒸着源。
【請求項３】
請求項１に記載の同軸型真空アーク蒸着源であって、
前記蒸着材料は、前記一端部及び前記他端部の各々の周縁が面取りされた円柱状に形成されている
同軸型真空アーク蒸着源。
【請求項４】
真空槽と、
前記真空槽内で蒸着対象物を保持するホルダと、
環状のトリガ電極と、
カソード電極と、
前記カソード電極に接続される一端部と、前記一端部と反対側の他端部とを有し、前記一端部と前記他端部のうち少なくとも前記他端部の周縁が面取りされた円柱状の蒸着材料と、
前記トリガ電極と前記蒸着材料の間、及び前記トリガ電極と前記カソード電極の間に配置された絶縁部材と、
前記トリガ電極の周囲に配置された筒状のアノード電極と
を具備する真空蒸着装置。
【請求項５】
請求項４に記載の真空蒸着装置であって、
前記絶縁部材は、前記トリガ電極の内周面と対向する円筒状部と、前記トリガ電極と前記カソード電極の間に位置するフランジ部とを有し、
前記蒸着材料の他端部は、前記絶縁部材の前記円筒状部の先端と同一の高さ位置にある
真空蒸着装置。
【請求項６】
請求項４に記載の真空蒸着装置であって、
前記蒸着材料は、前記一端部及び前記他端部の各々が面取りされた円柱状に形成されている
真空蒸着装置。
【請求項７】
請求項４に記載の真空蒸着装置であって、
前記蒸着材料と前記ホルダの間に、前記蒸着材料と前記ホルダの間を遮蔽自在なシャッタ部材をさらに具備する
真空蒸着装置。
【発明の詳細な説明】
【技術分野】
【０００１】
本発明は、蒸着量を安定化させることができる同軸型真空アーク蒸着源及び真空蒸着装置に関する。
【背景技術】
【０００２】
従来、薄膜形成装置のひとつに、同軸型真空アーク蒸着源を用いた真空蒸着装置が知られている（例えば特許文献１参照）。同軸型真空アーク蒸着源は、アノード電極と蒸着材料とトリガ電極とを有している。そして、アノード電極と蒸着材料との間に電圧を印加した状態で、トリガ電極と蒸着材料との間にトリガ放電を発生させ、アノード電極と蒸着材料との間にアーク放電を誘起させることで、蒸着材料から当該蒸着材料を構成する物質が放出される。
【０００３】
【特許文献１】特開平１１−３５０１１４号公報（段落[００４２]、図１）
【発明の開示】
【発明が解決しようとする課題】
【０００４】
ところで、従来の同軸型真空アーク蒸着源を用いた蒸着装置においては、寿命に達していない蒸着材料を用いていても、形成される膜厚が、バッチ毎に安定しないという問題があった。これは、蒸着材料の形状が消耗により変化し、蒸発粒子の出射角が複雑に変化するためと考えられる。
【０００５】
すなわち、トリガ電極近傍の蒸着材料の表面では、トリガ放電によって生じた蒸発粒子の空間密度は均一ではなく、トリガ電極近傍の位置における蒸発粒子の空間密度は、トリガ電極から離れた位置における蒸発粒子の空間密度に比して大きい。すなわち、アーク電流は、トリガ電極近傍に位置する蒸着材料の表面において大きく流れ、その結果、蒸着材料は、トリガ電極近傍のごく一部でその大部分が蒸発して消耗することになる。従来の蒸着材料は、底の縁が角張った円柱状であったため、底の縁の角が蒸発消耗して形状変化が大きかった。これが、蒸発粒子の出射角に影響を与えていると考えられる。
【０００６】
このように、従来の同軸型真空アーク蒸着源では、蒸着量を安定化させることができなかったため、バッチ毎の膜厚の再現性が得られなかった。
【０００７】
以上のような事情に鑑み、本発明の目的は、蒸着量を安定化でき、再現性に優れた同軸型真空アーク蒸着源及び真空蒸着装置を提供することにある。
【課題を解決するための手段】
【０００８】
かかる課題を解決するため、本発明に係る同軸型真空アーク蒸着源は、環状のトリガ電極と、カソード電極と、前記カソード電極に接続される一端部と、前記一端部と反対側の他端部とを有し、前記一端部と前記他端部のうち少なくとも前記他端部の周縁が面取りされた円柱状の蒸着材料と、前記トリガ電極と前記蒸着材料の間、及び前記トリガ電極と前記カソード電極の間に配置された絶縁部材と、前記トリガ電極の周囲に配置された筒状のアノード電極とを具備する。
【０００９】
本発明においては、蒸着材料が面取り円柱状であることによって、蒸着材料の端部の周縁に角が無く、蒸着材料が消耗してもその周縁の曲面が維持された状態となるので、蒸発粒子の出射角が安定し、蒸着量の再現性を高めることができる。
【００１０】
また、本発明において、前記絶縁部材は、前記トリガ電極の内周面と対向する円筒状部と、前記トリガ電極と前記カソード電極の間に位置するフランジ部とを有し、前記蒸着材料の他端部は、前記絶縁部材の前記円筒状部の先端と同一の高さ位置にある。これにより、蒸着量の更なる安定化を図ることができる。
【００１１】
さらに、前記蒸着材料の両端部をいずれも同様な面取り形状とすれば、メンテナンス時に蒸着材料を組み直すことで蒸着材料の両端を蒸着に使用することが可能となる。これにより、蒸着材料の使用効率を高めることができる。
【００１２】
一方、本発明に係る真空蒸着装置は、真空槽と、前記真空槽内で蒸着対象物を保持するホルダと、環状のトリガ電極と、カソード電極と、前記カソード電極に接続される一端部と、前記一端部と反対側の他端部とを有し、前記一端部と前記他端部のうち少なくとも前記他端部の周縁が面取りされた円柱状の蒸着材料と、前記トリガ電極と前記蒸着材料の間、及び前記トリガ電極と前記カソード電極の間に配置された絶縁部材と、前記トリガ電極の周囲に配置された筒状のアノード電極とを具備する。
【発明の効果】
【００１３】
以上述べたように、本発明によれば、同軸型アーク蒸着源による蒸着対象物への蒸着量を安定化させることができる。
【発明を実施するための最良の形態】
【００１４】
以下、本発明の実施形態について図面を参照して説明する。
【００１５】
図１は、本発明の実施形態による同軸型真空アーク蒸着源（以下単に「蒸着源」ともいう。）５を備えた真空蒸着装置１の概略構成を示している。本実施形態の真空蒸着装置１は、真空槽２と、真空槽２の内部天井側に配置されたホルダ３と、真空槽２の内部にホルダ３に対向するように配置された蒸着源５とを有している。また、ホルダ３と蒸着源５の間にはシャッタ部材７が配置されており、このシャッタ部材７は、ホルダ３と蒸着源５の間を遮蔽する位置からこれらの間を開放する位置へ移動自在に構成されている。
【００１６】
真空槽２の底部には貫通孔が設けられ、この貫通孔を気密に閉塞するように取付フランジ７１が配置されている。取付フランジ７１は、真空槽２の内部に延びる複数本の支柱７２を備えており、これらの支柱７２には、蒸着源５が固定されている。
【００１７】
蒸着源５の構成を図２に示す。この蒸着源５は、アノード電極２３と蒸着材料１１とトリガ電極１３とを有している。そして後述するように、蒸着源５は、アノード電極２３と蒸着材料１１との間に電圧を印加した状態で、トリガ電極１３と蒸着材料１１との間にトリガ放電を発生させ、アノード電極２３と蒸着材料１１との間にアーク放電を誘起させると、蒸着材料１１から当該蒸着材料を構成する物質が放出されるように構成されている。
【００１８】
ここで使用される蒸着源５は、図２に示すように導電性のベースフランジ１９を有し、このベースフランジ１９に円筒状のアノード電極２３とカソード部４０が取り付けられている。カソード部４０は、電極部５０と基台部６０からなる。電極部５０は、蒸着材料１１と、蒸着材料１１の周囲に位置する環状のトリガ電極１３と、トリガ電極１３と蒸着材料１１の間、及びトリガ電極１３とカソード電極１２の間に位置する絶縁部材としての絶縁碍子１４とを有している。また、基台部６０は、カソード電極１２と、スリーブ１６と、スリーブ押さえ１７とを有している。
【００１９】
アノード電極２３の底部内周面には、円板状のベースフランジ１９の端部が固定されている。アノード電極２３の上端には開口２５が形成されている。アノード電極２３は、例えば、直径３０ｍｍ、高さ（長さ）６０ｍｍのステンレス製の円筒部材で形成されている。アノード電極２３は、その軸心が、ホルダ３上に保持される蒸着対象物としての基板４の中心部と一致するように配置されている。
【００２０】
カソード電極１２は、このベースフランジ１９と絶縁された状態で、ベースフランジ１９の上面側に配置されている。カソード電極１２は、例えば銅で形成されている。カソード電極１２は、電極保持部１２ａと、後述する電源装置６と電気的に接続される接続部１２ｂと、電極保持部１２ａに蒸着材料１１を固定する固定具１２ｃとを有している。図２に示すように、蒸着材料１１は、カソード電極１２の電極保持部１２ａに取り付けられ、固定具１２ｃで固定できるようになっている。
【００２１】
蒸着材料１１は、円柱状に形成されている。蒸着材料１１は、図３に示すように、カソード電極１２に接続される一端部（下端部）１１ａと、当該一端部１１ａと反対側の他端部（上端部）１１ｂとを有し、これら一端部１１ａと他端部１１ｂの各々の周縁が面取り加工（曲面加工）されている。本実施形態において、蒸着材料１１は、直径１０ｍｍ、高さ２２ｍｍに形成されており、この場合、両端部１１ａ，１１ｂの周縁の面取りは、例えば、１ｍｍ〜２ｍｍの曲率半径で形成される。蒸着材料１１には、アルミニウム（Ａｌ）、シリコン（Ｓｉ）、セレン（Ｓｅ）、鉄（Ｆｅ）、コバルト（Ｃｏ）、白金（Ｐｔ）などを用いることができる。
【００２２】
絶縁碍子１４は、円筒状部１４ａとフランジ部１４ｂから構成されており、その形状からハット型碍子と呼称される。トリガ電極１３はこのハット型の絶縁碍子１４により、カソード電極１２と蒸着材料１１との両方と絶縁されている。トリガ電極１３の上面及び蒸着材料１１の上端部１１ｂの表面は、絶縁碍子１４の円筒状部１４ａの先端と同一の高さ位置にある。これにより、電極部５０の上面は、面一に形成されている。
【００２３】
絶縁碍子１４の円筒状部１４ａとフランジ部１４ｂは一体的に構成されているが、これらを別部材で形成した後、一体接合することも可能である。本実施形態では、円筒状部１４ａは、純度９９％のアルミナ部材で形成され、フランジ部１４ｂは、純度９６％のアルミナ部材で形成されている。
【００２４】
本実施形態では、図２及び図３に示すように、蒸着材料１１と、絶縁碍子１４と、トリガ電極１３とを組み立てて電極部５０を構成している。このようにして組み立てた電極部５０をカソード電極１２の電極ホルダ１２ａに取り付け、固定具１２ｃで固定する。固定具１２ｃの操作によって、蒸着材料１１の入れ替え及び交換を容易に行うことができる。特に本実施形態では、蒸着材料１１の各端部１１ａ，１１ｂのいずれの周縁をも面取り形状としているので、一端部１１ａ側と他端部１１ｂ側の上下を組み代えることで、蒸着材料１１の蒸発面を再生できる。これにより、蒸着材料の使用効率を高められる。
【００２５】
上述したベースフランジ１９には、貫通孔が設けられており、その貫通孔には、スリーブ１６が挿通されている。上記貫通孔とスリーブ１６の周囲の隙間には、アルミナなどの絶縁材からなるリング状の上側スリーブ押え１７ａ及び下側スリーブ押え１７ｂからなるスリーブ押え１７が配置されている。スリーブ１６及び上側スリーブ押え１７ａの上には、上述したカソード電極１２が配置されている。カソード電極１２の接続部１２ｂはスリーブ１６を挿通してベースフランジ１９の裏面側に露出している。カソード電極１２の接続部１２ｃにはネジが切られており、そのネジにナット１８が螺合されることにより、カソード電極１２は、スリーブ１６及びスリーブ押え１７を挟み付けた状態で、ベースフランジ１９表面に固定されている。
【００２６】
トリガ電極１３には、トリガ配線２１の一端が接続されている。トリガ配線２１の一部は絶縁材からなるトリガ配線碍子２２によって被覆されている。上述したベースフランジ１９には、その表裏を貫通する小孔が設けられ、トリガ配線碍子２２は、この小孔を気密に挿通されてベースフランジ１９の裏面側に引き出されている。
【００２７】
このように、カソード電極１２、トリガ配線２１、アノード電極２３は、真空槽２の内部に収納され、これらのカソード電極１２、トリガ配線２１及びアノード電極２３は、取付フランジ７１を気密に挿通して配置された電流導入端子の一端にそれぞれ接続されている。各電流導入端子の他端は真空槽２の外部に露出しており、ともに真空槽２の外部に配置された電源装置６と接続されている。
【００２８】
電源装置６は、トリガ電源３１とアーク電源３２とコンデンサユニット３３とを有している。トリガ電源３１は、トリガ電極１３に、蒸着材料１１に対して約３ｋＶの正のパルス状の電圧を印加することができるように構成されている。他方、アーク電源３２は、アノード電極２３に、蒸着材料１１に対して１００Ｖの正の直流電圧を印加することができるように構成されている。また、コンデンサユニット３３は８８００μＦの容量を持ち、アーク電源３２によって充電される。
【００２９】
上記のような構成の真空蒸着装置１を用いて、基板表面に薄膜を形成する場合には、まず、真空槽２内に基板４を搬入し、これをホルダ３に保持させて蒸着源５と対向配置させた後、真空槽２内を高真空雰囲気（例えば、１．３×１０−４Ｐａ以下）に排気する。
【００３０】
次に、蒸着材料１１をクリーニングする。具体的には、シャッタ部材７を図１及び図２に示すようにホルダ３と蒸着源５との間を遮蔽する位置に移動させる。この状態で蒸着源５の蒸着材料１１とアノード電極２３の間で、例えば５０〜１００回放電させる（空打ちする）。これにより、蒸着材料１１の表面に付着している水分や汚れ、油脂が除去される。以降、この予備成膜プロセスをプリクリーニングと称する。
【００３１】
プリクリーニング終了後、基板シャッタ７を移動させて、基板４と蒸着源５の間を開放する。
【００３２】
次いで、実際に基板４に対して成膜する。アーク電源３２により、アノード電極２３に対して、蒸着材料１１に１００Ｖの負の直流電圧を印加しておく。その状態でトリガ電源３１を起動し、トリガ電極１３に３．４ｋＶの正のパルス電圧を印加する。すると、絶縁碍子１４の表面でトリガ放電となる沿面放電が発生する。このトリガ放電によって、蒸着材料１１の表面から蒸着材料１１の構成物質が蒸発する。
【００３３】
蒸着物質１１からの蒸発粒子によってアノード電極２３内の圧力が上昇し、アノード電極２３と蒸着材料１１との間の絶縁耐圧が低下すると、コンデンサユニット３３に充電された電荷によって、蒸着材料１１とアノード電極２３との間でアーク放電が発生する。このとき、蒸着材料１１に多量の電流が流入し、ジュール熱により蒸着材料１１の表面が溶融及び蒸発し、さらには蒸発粒子のプラズマが形成される。この際に、蒸着材料１１には、２００μｓの間に約３０００〜４０００Aの多量の電流が流れる。この時に、蒸着材料１１を同心円の中心にして、アンペールの法則に従って磁場が形成され、蒸着材料自身のプラズマ中の電子が磁場でローレンツ力を受け、基板４に向かって飛行する。プラズマ中の蒸着材料の金属イオンも電子のクーロン力を受けて、基板４に向かって飛行する。このようにして、金属イオンは真空槽２内に放出され、対向配置された基板４の表面に到達すると、基板４の表面に、薄膜が成長する。
【００３４】
本実施形態においては、蒸着材料１１が面取り円柱状であることによって、蒸着材料１１の端部の周縁に角が無く、蒸着材料１１が消耗してもその周縁の曲面が維持された状態となるので、蒸発粒子の出射角が安定する。これにより、蒸着材料１１の消耗が比較的進行していても、蒸着量の安定性及び再現性を高めることが可能となる。
【００３５】
また、本実施形態においては、蒸着材料１１の上端部１１ｂは、絶縁碍子１４の円筒状部１４ａの先端と同一の高さ位置にある。これにより、蒸着量１１の更なる安定化を図ることができる。
【００３６】
本発明者らは、本発明の効果を確認するため、上述した構成の蒸着源５と、図４に比較例として示す従来構造の蒸着源１０５を用いてそれぞれ真空蒸着装置を構成し、それぞれにおいて実際に基板上に薄膜を形成したときの蒸着量のバラツキについて検討した。
【００３７】
図４に示した蒸着源１０５は、図２に示した本実施形態の蒸着源５と同様の構成を有するが、蒸着源１０５においては、円筒状の蒸着材料１１１の上端部の周縁が面取り加工されておらず角張った形状である点、及び、蒸着材料１１１の上端部が絶縁碍子１４の円筒状部１４ａの先端よりも上方に約１ｍｍ突出している点で、蒸着源５の構成と異なっている。なお、図４において、蒸着材料１１１以外の他の構成要素について蒸着源５と対応する部分については同一の符号を付し、その詳細な説明は省略する。
【００３８】
実験条件は、蒸着材料１１が鉄（Ｆｅ）、コンデンサユニット３３の容量８８００μＦ、充電電圧１００Ｖ、アノード電極２３の長さ６０ｍｍ、アノード電極２３とホルダ３（基板４）間の距離１７５ｍｍ、プリクリーニング５０発、蒸着パルス数１０００発、プロセス圧力１．３×１０−４Ｐａとした。
【００３９】
図５は、蒸着源５を備えた真空蒸着装置１を用いて成膜したときの基板表面の膜厚分布を示している。また、図６は、従来の蒸着源１０５を備えた真空蒸着装置を用いて成膜したときの基板表面の膜厚分布を示している。図において横軸は、基板中心から半径方向への距離［ｃｍ］、縦軸は膜厚［Å（オングストローム）］を示している。
【００４０】
図５及び図６に示すように、本実施形態の蒸着源５を備えた真空蒸着装置１においては、従来構造の蒸着源１０５を備えた真空蒸着装置と比較して、処理回数の増加に伴う膜厚の変動は少なく、±５％程度の変動幅の範囲に収めることができる。したがって、本発明によれば、蒸着量を安定化させてバッチ毎の膜厚の再現性を向上させることができる。また、本発明によれば、膜厚の面内均一性を向上させることができる。
【００４１】
以上、本発明の実施の形態について説明したが、勿論、本願発明はこれらに限定されることなく、本発明の技術的思想に基づいて種々の変形が可能である。
【００４２】
例えば以上の実施形態では、単一の同軸型真空アーク蒸着源を備えた真空蒸着装置を例に挙げて説明したが、これに限らず、２個以上の同様の蒸着源を共通の真空槽に設置し、複数台の蒸着源を同時または交互に放電させて成膜を行うようにしてもよい。この場合においても、各蒸着源の蒸着材料を上述の実施形態と同様に端部が面取りされた円柱状に形成することで、蒸着量の安定化と高い再現性を維持することが可能となる。
【図面の簡単な説明】
【００４３】
【図１】本発明の実施形態による同軸型真空アーク蒸着源を備えた真空蒸着装置の概略構成図である。
【図２】本発明の実施形態による同軸型真空アーク蒸着源の縦断面図である。
【図３】図２に示した蒸着源における蒸着材料周辺の構成を示す断面図である。
【図４】本発明の実施形態において説明する比較例としての蒸着源の構成を示す断面図である。
【図５】本発明に係る同軸型真空アーク蒸着源を用いた真空蒸着装置における蒸着量の再現性を示す一実験結果である。
【図６】図４に示した比較例に係る蒸着源を用いた真空蒸着装置における蒸着量の再現性を示す一実験結果である。
【符号の説明】
【００４４】
１・・・真空蒸着装置
２・・・真空槽
３・・・ホルダ
４・・・基板
５・・・同軸型真空アーク蒸着源
６・・・電源装置
１１・・・蒸着材料
１２・・・カソード電極
１３・・・トリガ電極
１４・・・絶縁碍子
１４ａ・・・円筒状部
１４ｂ・・・フランジ部
２３・・・アノード電極
２５・・・開口
３１・・・トリガ電源
３２・・・アーク電源
３３・・・コンデンサユニット
【図１】
0005048538.tif 000002
【図２】
0005048538.tif 000003
【図３】
0005048538.tif 000004
【図４】
0005048538.tif 000005
【図５】
0005048538.tif 000006
【図６】
0005048538.tif 000007